(57)【要約】【課題】本発明は、簡単な構成により、露光装置の汚れを自動的に除去するとともに、露光装置の光束出射面に対して非接触で清掃を行うことのできる画像形成装置を提供することを目的とする。【解決手段】帯電装置５は、感光体ドラム２の表面を一様に正極性に帯電するために帯電装置５へ所定電圧を印加する電源５ｂと、感光体ドラム２の表面を一様に負極性に帯電するために帯電装置５へ所定電圧を印加する電源５ｃと、選択した極性の電圧を印加する際に、上記電源５ｂと５ｃを切り替えるために用いられる切り替えスイッチ５ｃを有している。露光装置３１に付着した正極性を有するトナーを除去する場合、所定のタイミングにより、切り替えスイッチ５ｃが帯電装置５と電源５ｂ、５ｃとの接続を切り替え、帯電装置５は電源５ｃに接続される。露光装置５は、感光体ドラム２の表面を一様に負極性に帯電させ、露光装置３１の光束出射面３１ａに付着したトナーＴは、図中の矢印Ｂの方向に引き寄せられ、感光体ドラム２の表面上に移動する。【選択図】    図３
2005024631.tif 000002
【特許請求の範囲】
【請求項１】
回転自在に配設された感光体と、所定の電圧が印加されることにより、前記感光体の表面に一様な電荷を帯電させる帯電装置と、前記感光体の表面に近接して設けられており、光照射により前記感光体の表面に静電潜像を形成し、前記感光体に対して画像情報を露光する露光装置とを備える画像形成装置において、
前記帯電装置に対して所定の極性を有する電圧を印加することにより、前記感光体の表面を前記露光装置に付着したトナーが有する極性と逆の極性に帯電させるとともに、前記トナーを前記感光体の表面上に移動させ、除去することを特徴とする画像形成装置。
【請求項２】
非画像形成時において、前記帯電装置へ印加される電圧の極性を制御する制御手段を更に備えることを特徴とする請求項１に記載の画像形成装置。
【請求項３】
前記制御手段は、所定のプリント枚数毎に、前記帯電装置へ印加される電圧の極性を制御することを特徴とする請求項２に記載の画像形成装置。
【請求項４】
回転自在に配設された感光体と、所定の電圧が印加されることにより、前記感光体の表面に一様な電荷を帯電させる第１の帯電装置と、前記感光体の表面に近接して設けられており、光照射により前記感光体の表面に静電潜像を形成し、前記感光体に対して画像情報を露光する露光装置とを備える画像形成装置において、
前記感光体の表面に一様な電荷を帯電させる第２の帯電装置を更に備えており、前記第２の帯電装置に対して所定の極性を有する電圧を印加することにより、前記感光体の表面を前記露光装置に付着したトナーが有する極性と逆の極性に帯電させるとともに、前記トナーを前記感光体の表面上に移動させ、除去することを特徴とする画像形成装置。
【請求項５】
非画像形成時において、前記第２の帯電装置に対する前記所定の極性を有する電圧の印加を制御する制御手段を更に備えることを特徴とする請求項４に記載の画像形成装置。
【請求項６】
前記制御手段は、所定のプリント枚数毎に、前記第２の帯電装置に対する前記所定の極性を有する電圧の印加を制御することを特徴とする請求項５に記載の画像形成装置。
【請求項７】
回転自在に配設された感光体と、所定の電圧が印加されることにより、前記感光体の表面に一様な電荷を帯電させる帯電装置と、前記感光体の表面に近接して設けられており、光照射により前記感光体の表面に静電潜像を形成し、前記感光体に対して画像情報を露光する露光装置と、前記静電潜像にトナーを付着させトナー像を形成する現像装置と、前記トナー像を用紙に転写する転写装置とを備える画像形成装置において、
前記転写装置に対して所定の極性を有する電圧を印加することにより、前記感光体の表面を前記露光装置に付着した前記トナーが有する極性と逆の極性に帯電させるとともに、前記トナーを前記感光体の表面上に移動させ、除去することを特徴とする画像形成装置。
【請求項８】
非画像形成時において、前記転写装置に対する前記所定の極性を有する電圧の印加を制御する制御手段を更に備えることを特徴とする請求項７に記載の画像形成装置。
【請求項９】
前記制御手段は、所定のプリント枚数毎に、前記転写装置に対する前記所定の極性を有する電圧の印加を制御することを特徴とする請求項８に記載の画像形成装置。
【発明の詳細な説明】
【０００１】
【発明の属する技術分野】
本発明は、電子写真方式のプリンタやファクシミリ、複写機などの露光手段としてＬＥＤプリントヘッドを用いた画像形成装置に関する。
【０００２】
【従来の技術】
近年、装置の小型化・簡易化等を図るべく、光書き込み手段としてＬＥＤアレイを用いた電子写真方式の画像形成装置が注目されている。この電子写真方式の画像形成装置において、露光装置として用いられるＬＥＤプリントヘッドは、複数のＬＥＤ素子を一列に並べて形成されたＬＥＤアレイを有しており、画像データに基づいて各ＬＥＤ素子を個々に選択的に発光させるようになっている。
【０００３】
しかし、装置の小型化に伴って、作像部を構成する各装置の間隔は狭くなってきており、特に、現像装置の近傍においては、トナー飛散が起こりやすいため、周辺の各装置において、トナー汚れが発生しやすい。又、一般にＬＥＤプリントヘッドは、感光体表面に近接した位置に配置されているため、例えば、ジャム処理等において、感光体の周辺からトナー飛散が生じた場合、当該トナーの付着により、ＬＥＤプリントヘッドに汚れが生じてしまう。静電潜像を形成するＬＥＤプリントヘッドにこの様な汚れが生じると、光量にムラが生じてしまい、白筋等の異常画像発生の原因となってしまう。
【０００４】
そこで、上記ＬＥＤプリントヘッドの汚れを除去するとともに、異常画像の発生を防止すべく、種々の清掃機構が提案されており、例えば、ＬＥＤプリントヘッドと像担持体である感光体ドラムとの間にＬＥＤプリントヘッドを清掃するための清掃部材を設け、ＬＥＤプリントヘッドの移動に伴い、清掃部材がＬＥＤプリントヘッドに当接することにより、ＬＥＤプリントヘッドを清掃するものが提案されている（例えば、特許文献１参照）。又、画像形成プロセスカートリッジをＬＥＤ装置の長手方向の装置外へスライドさせる構造を有する画像形成装置において、スライドフレーム奥側のＬＥＤ装置を真上に見る位置に清掃部材を設け、スライドフレームをスライドさせることにより、装置に固定されたＬＥＤ装置を清掃するものが提案されている（例えば、特許文献２参照）。
【０００５】
【特許文献１】
特開２００１−１７５０４６号公報（第５−６頁、第１０−１１図）
【特許文献２】
特開２００２−１８２５３９号公報（第４−５頁、第３図）
【０００６】
【発明が解決しようとする課題】
しかし、上記従来の清掃機構では、ＬＥＤプリントヘッドの汚れの除去を行うにつれて、清掃部材自体が汚れてくるため、当該清掃部材の使用時間が進むにつれて清掃効果が徐々に低下し、この様に汚れが進んだ清掃部材によりＬＥＤプリントヘッドのクリーニングを行うと、却ってＬＥＤプリントヘッドが汚れてしまうという問題があった。又、ＬＥＤプリントヘッドの光束出射面に対して清掃部材を接触させる構造であるため、清掃部材により光束出射面を傷付けてしまう場合があった。又、この様な清掃部材を別個に設ける必要があるため、画像形成装置全体のコストアップになっていた。更に、搬送ベルトに設けられた回動可能なレバーを所定の方向に移動させたり、スライドフレームをＬＥＤ装置の長手方向にスライドさせる必要があるため、煩雑な手動清掃を行う必要があった。
【０００７】
本発明は、上記問題点を解決し、簡単な構成により、露光装置であるＬＥＤプリントヘッドの汚れを自動的に除去するとともに、当該ＬＥＤプリントヘッドの光束出射面に対して非接触で清掃を行うことのできる画像形成装置を提供することを目的とする。
【０００８】
【課題を解決するための手段】
上記目的を達成するために、本発明の第１の画像形成装置は、回転自在に配設された感光体と、所定の電圧が印加されることにより、感光体の表面に一様な電荷を帯電させる帯電装置と、感光体の表面に近接して設けられており、光照射により感光体の表面に静電潜像を形成し、感光体に対して画像情報を露光する露光装置とを備える画像形成装置において、帯電装置に対して所定の極性を有する電圧を印加することにより、感光体の表面を露光装置に付着したトナーが有する極性と逆の極性に帯電させるとともに、トナーを前記感光体の表面上に移動させ、除去することを特徴とする。
【０００９】
ここで、本発明においては、非画像形成時において、帯電装置へ印加される電圧の極性を制御する制御手段を更に備えるものとすることができる。
【００１０】
更に、本発明においては、制御手段は、所定のプリント枚数毎に、帯電装置へ印加される電圧の極性を制御するものとすることができる。
【００１１】
又、本発明の第２の画像形成装置は、回転自在に配設された感光体と、所定の電圧が印加されることにより、感光体の表面に一様な電荷を帯電させる第１の帯電装置と、感光体の表面に近接して設けられており、光照射により前記感光体の表面に静電潜像を形成し、感光体に対して画像情報を露光する露光装置とを備える画像形成装置において、感光体の表面に一様な電荷を帯電させる第２の帯電装置を更に備えており、第２の帯電装置に対して所定の極性を有する電圧を印加することにより、感光体の表面を露光装置に付着したトナーが有する極性と逆の極性に帯電させるとともに、トナーを前記感光体の表面上に移動させ、除去することを特徴とする。
【００１２】
ここで、本発明においては、非画像形成時において、第２の帯電装置に対する所定の極性を有する電圧の印加を制御する制御手段を更に備えるものとすることができる。
【００１３】
更に、本発明においては、制御手段は、所定のプリント枚数毎に、第２の帯電装置に対する所定の極性を有する電圧の印加を制御するものとすることができる。
【００１４】
又、本発明の第３の画像形成装置は、回転自在に配設された感光体と、所定の電圧が印加されることにより、感光体の表面に一様な電荷を帯電させる帯電装置と、感光体の表面に近接して設けられており、光照射により感光体の表面に静電潜像を形成し、感光体に対して画像情報を露光する露光装置と、静電潜像にトナーを付着させトナー像を形成する現像装置と、トナー像を用紙に転写する転写装置とを備える画像形成装置において、転写装置に対して所定の極性を有する電圧を印加することにより、感光体の表面を露光装置に付着したトナーが有する極性と逆の極性に帯電させるとともに、トナーを感光体の表面上に移動させ、除去することを特徴とする。
【００１５】
ここで、本発明においては、非画像形成時において、転写装置に対する所定の極性を有する電圧の印加を制御する制御手段を更に備えるものとすることができる。
【００１６】
更に、本発明においては、制御手段は、所定のプリント枚数毎に、転写装置に対する所定の極性を有する電圧の印加を制御するものとすることができる。
【００１７】
【発明の実施の形態】
以下、図面を参照して、本発明の実施形態を詳細に説明する。図１は、本発明の第１の実施形態に係る画像形成装置の全体構成を示す概略図である。
【００１８】
図１に示す様に、この画像形成装置１は、反転現像により画像形成を行う複写機であって、大きくは、一方向（図中のＡ方向）に回転する感光体ドラム２、用紙を収納した複数の給紙カセット３、これら給紙カセット３の各端部上方に配設され感光体ドラム２に向けて用紙を供給する給紙装置４、感光体ドラム２に対向するとともに、当該感光体ドラム２の上記回転方向に沿って配設された帯電装置５、現像装置６、転写装置７、及びクリーニング装置８、その転写装置７から用紙を受け入れる定着装置９、この定着装置９から用紙を受け入れ画像形成装置１の外部に用紙を排出する排出部１０、画像形成装置１の上部に配設され複写原稿を搬送する原稿搬送部１１、この原稿搬送部１１の下部に配設され複写原稿の画像を読み取る原稿読取部１２から構成される。
【００１９】
この様な構成のもとで、複写原稿は原稿搬送部１１により原稿読取部１２に搬送されて、この原稿読取部１２によりその複写原稿の画像が読み取られ、これとともに感光体ドラム２の表面は帯電装置５により一様に帯電させられる。次いで、原稿読取部１２によって読み取られた画像に基づく光が、不図示の露光装置（例えば、ＬＥＤプリントヘッド）により感光体ドラム２の表面に照射されてその画像の静電潜像が形成され、その後、現像装置６によりその静電潜像にトナーを付着させトナー像が形成される。
【００２０】
更に、給紙カセット３に収納された用紙は、給紙装置４により用紙供給経路２１を経由して感光体ドラム２と転写装置７との間に供給され、次いで、この転写装置７により感光体ドラム２からトナー像が用紙上に引き寄せられて転写される。その後、トナー像が転写された用紙は感光体ドラム２から分離されて、用紙搬送経路２２を経由して定着装置９に搬送され、この定着装置９によりそのトナー像が転写紙上に定着される。
【００２１】
一方、転写装置７によるトナー像転写後、感光体ドラム２の表面に残留するトナーは、クリーニング装置８により完全に除去される。そして、残留トナーが除去された感光体ドラム２は、複数のＬＥＤ等で構成された不図示の除電部によりその表面の残留電荷が除去され、帯電装置５に至る。
【００２２】
用紙搬出経路２３内で、定着装置９の直後には、第１の分岐爪１３が設けられており、この第１の分岐爪１３は、用紙の搬送経路を切り換えている。即ち、トナー像が定着された転写紙をそのまま用紙搬出経路２３に沿って、排出部１０により画像形成装置１の外部に排出させるか、第１の分岐爪１３の下方に設けられた反転経路１５に向かって搬送させるかを、当該第１の分岐爪１３で切り換えている。
【００２３】
反転経路１５の搬送方向下流側には、トナー像が定着された転写紙を搬送経路に沿って反転搬送する両面装置１４が設けられている。反転搬送された転写紙は、第２の分岐爪２４により、両面装置１４の搬送方向下流側の第１の返送経路２５、又は第２の返送経路２６のいずれかに分岐される。
【００２４】
図１に示す様に、第２の返送経路２６は、用紙搬出経路２３に通じているため、用紙の表面のみに印刷をし、当該印刷された面を裏にして（印刷された面と反対の面を表にして）排出する場合は、当該用紙は、第２の返送経路２６を経由し、用紙搬出経路２３へと搬送され、排出部１０により画像形成装置１の外部に排出される。
【００２５】
一方、第１の返送経路２５は、用紙供給経路２１に通じているため、用紙の両面に印刷する場合は、当該用紙は、定着装置９を出た転写紙が反転経路１５から両面装置１４に設けられた第１の返送経路２５を通過し、給紙装置４を経由して、用紙供給経路２１に戻ってくる。用紙供給経路２１に戻ってきた用紙は、再度、感光体ドラム２と転写装置７との間に供給され、次いで、この転写装置７により感光体ドラム２からトナー像が用紙裏面上に引き寄せられて転写される。その後、トナー像が転写された用紙は感光体ドラム２から分離されて、用紙搬送経路２２を経由して定着装置９に搬送され、この定着装置９によりそのトナー像が用紙裏面上に定着される。
【００２６】
次に、図面を参照して、本発明の実施形態に係る画像形成装置における画像形成部について詳しく説明する。図２は、図１に示した本発明の第１の実施形態に係る画像形成装置における画像形成部を拡大した模式図である。
【００２７】
本画像形成装置１の本体内に配設された画像形成部３０は、回転自在に配設された感光体ドラム２と、所定の電圧が印加されることにより、感光体ドラム２の表面に一様な電荷を帯電させる帯電装置５と、感光体ドラム３０の表面に近接して設けられており、光照射により感光体ドラム２の表面に静電潜像を形成し、感光体ドラム２に対して画像情報を露光する露光装置３１と、静電潜像にトナーを付着させトナー像を形成する現像装置６と、現像装置６により形成されたトナー像を用紙に転写する転写装置７と、トナー像を用紙に転写した後に感光体ドラム２の表面上に残留した転写残トナーを除去するためのクリーニング装置８から構成されている。
【００２８】
尚、ここで使用できる感光体の材料に限定はなく、従来から公知のものが使用できる。例えば、非晶質シリコン系感光体、有機系感光体、Ｓｅ系感光体、ＺｎＯ感光体、ＣｄＳ系感光体などの感光体を使用することができる。又、本実施形態においては、ドラム状の感光体、即ち、感光体ドラム２を使用しているが、感光体の形状にも限定はなく、上記ドラム状以外の公知の形状を用いることができる。例えば、シート状、ベルト状、ウェブ状などの形状が挙げられる。
【００２９】
又、本実施形態においては、感光体（静電潜像担持体）上の静電潜像を現像する方法は正現像法および反転現像法のいすれでも良く、又、現像方式としてはトナー薄層と感光体が接触する接触現像方式および両者が接触しないジャンピング現像方式のいずれでも良いが、カブリを抑制する観点からは反転現像法・ジャンピング現像方式の組み合わせが推奨される。
【００３０】
次に、画像形成部３０における画像形成動作について説明する。画像形成部３０において、画像形成動作が開始されると、まず感光体ドラム２が図中のＡの方向に回転を始める。次いで、所定の電圧が印加された帯電装置５により、感光体ドラム２への放電が行われ、感光体ドラム２の表面に一様な電荷が帯電される。ここで、本実施形態においては、帯電装置５に、感光体ドラム２上に均一な所定の表面電位を形成するコロナ放電器が好適に用いられ、当該コロナ放電器に張架された放電用ワイヤ（又は、コロナワイヤ）５ａは、所定の電源と接続されており、感光体ドラム２に向けて放電を行い、感光体ドラム２の表面を一様に帯電する。尚、一般的な画像形成装置においては、放電用ワイヤ５ａへの印加電圧は＋４ｋＶ〜＋９ｋＶであることが多く、本実施形態においては、感光体ドラム２の表面電位が、例えば＋８００Ｖ前後となる様に、放電用ワイヤ５ａに電圧が印加される。従って、本実施形態においては、画像形成時において、感光体ドラム２の表面は正極性に帯電されることになる。
【００３１】
次いで、感光体ドラム２の帯電面には、露光装置３１により光照射が行われ、当該光照射により、画像となる部分の表面電位を、０〜＋２００Ｖ（例えば、＋１００Ｖ）とすることにより、画像情報に応じた静電潜像が形成される。尚、本実施形態においては、露光装置３１として、例えば、ＬＥＤプリントヘッドが用いられる。
【００３２】
現像装置６は、トナーが充填された現像剤容器である現像ハウジング６ａを有するとともに、現像ハウジング６ａに回転自在に取り付けられた現像スリーブ６ｂを有している。このトナーは感光体ドラム２の表面に帯電された極性と同極性（即ち、正極性）に帯電されており、現像装置６において現像スリーブ６ｂと感光体ドラム２との間に、現像バイアスとして直流に交流を重畳した交互電圧を印可することにより、現像スリーブ６ｂ上のトナーを感光体ドラム２の表面上における電荷の除去された静電潜像部分に転移させ、当該トナーを静電潜像に付着させてトナー像として可視化する。感光体ドラム２の表面上に形成されたトナー像は、感光体ドラム２の矢印Ａ方向の回転により、転写装置７へと搬送されてゆく。
【００３３】
転写装置７には、トナーの帯電極性とは逆の極性（即ち、負極性）のコロナ放電を行う転写用コロナ放電器が好適に用いられ、用紙供給経路２０を経由して感光体ドラム２と転写装置７との間に供給された用紙（不図示）上に、転写装置７により感光体ドラム２からトナー像が引き寄せられて転写される。その後、トナー像が転写された用紙は図示しない分離装置により感光体ドラム２から分離されて、図１に示した定着装置９に搬送され、この定着装置９によりそのトナー像が転写紙上に定着される。
【００３４】
一方、転写装置７によるトナー像転写後、感光体ドラム２の表面に残留するトナーは、クリーニング装置８により完全に除去される。そして、残留トナーが除去された感光体ドラム２は、複数のＬＥＤ等で構成された不図示の除電部によりその表面の残留電荷が除去され、帯電装置５に至る。
【００３５】
この様な画像形成部３０において、上述の動作を繰り返していると、前述のごとく、現像装置６の近傍においては、トナー飛散が起こりやすいため、周辺の各装置において、トナー汚れが発生しやすく、特に、露光装置３１として使用されるＬＥＤプリントヘッドは、感光体ドラム２の表面に近接した位置に配置されている（間隔１ｍｍ程度）ため、トナー飛散等によるトナーの付着により、ＬＥＤプリントヘッドに汚れが生じ、結果として、光量ムラや白筋等の異常画像が生じてしまう。従って、露光装置３１を定期的に清掃し、上記不都合を回避する必要がある。
【００３６】
そこで、本実施形態においては、非画像形成時において、感光体ドラム２の表面にトナーの帯電極性とは逆の極性（即ち、負極性）の帯電を与えることにより、露光装置３１に付着したトナーを除去することを特徴としている。以下に図面を用いて詳しく説明する。
【００３７】
図３は、図２に示した画像形成部におけるトナーの除去機構を説明するための模式図である。本実施形態においては、図３に示す様に、帯電装置５は、感光体ドラム２に向けて放電を行い、感光体ドラム２の表面を一様に正極性に帯電するために帯電装置５へ所定電圧を印加する電源５ｂと、感光体ドラム２に向けて放電行い、感光体ドラム２の表面を一様に負極性に帯電するために帯電装置５へ所定電圧を印加する電源５ｃと、選択した極性の電圧を印加する際に、上記電源５ｂと５ｃを切り替えるために用いられる切り替えスイッチ５ｄを有している。
【００３８】
ここで、通常の画像形成時においては、上述のごとく、感光体ドラム２の表面を一様にトナーと同じ極性（即ち、正極性）に帯電するために、帯電装置５は電源５ｂに接続され、帯電装置５として使用されるコロナ放電器に張架された放電用ワイヤ５ａは、感光体ドラム２に向けて放電行い、感光体ドラム２の表面を一様に正極性に帯電する。この際、上述のごとく、感光体ドラム２の表面電位が、例えば＋８００Ｖ前後となる様に、帯電装置５（又は、放電用ワイヤ５ａ）に所定の電圧が印加される。
【００３９】
一方、非画像形成時において、露光装置３１に付着したトナーＴを除去する場合は、感光体ドラム２の表面を一様にトナーと逆の極性（即ち、負極性）に帯電する必要があるため、所定のタイミングにより、切り替えスイッチ５ｄが帯電装置５と電源５ｂ、５ｃとの接続を切り替え、帯電装置５を電源５ｃに接続し、帯電装置５に対して所定の極性を有する電圧、即ち、露光装置３１に付着したトナーＴの極性と逆の極性を有する電圧が印加されるようにする。そうすると、放電用ワイヤ５ａは、感光体ドラム２に向けて放電行い、感光体ドラム２の表面を一様に負極性に帯電する。尚、この際、感光体ドラム２の表面電位が、例えば−１００Ｖ前後となる様に、帯電装置５に電圧が印加される。
【００４０】
像担持体である感光体ドラム２の表面が一様に負極性に帯電されると、図３に示す様に、露光装置３１の光束出射面３１ａに付着したトナーＴは、正極性に帯電されているため、図中の矢印Ｂの方向に引き寄せられ、感光体ドラム２の表面上に移動する。感光体ドラム２は、その後も矢印Ａの方向へ回転し、感光体ドラム２に吸着されたトナーＴは、感光体ドラム２の表面に残留するトナーとして、クリーニング装置８により完全に除去される。
【００４１】
以上に説明した様に、本実施形態においては、感光体ドラム２の表面にトナーの帯電極性とは逆の極性（即ち、負極性）の帯電を与えることにより、露光装置３１に付着したトナーを除去することが可能になる。従って、上記従来技術のごとく、清掃効果が低下した清掃部材の使用により、露光装置３１の汚れが増大するという不都合を回避できるとともに、露光装置３１の光束出射面３１ａに対して、非接触の状態で当該光束出射面３１ａに付着したトナーの汚れを除去することが可能となり、清掃部材を接触させる必要がないため、清掃部材により光束出射面３１ａを傷付けるという不都合も回避することができる。更に、この様な清掃部材を別個に設ける必要がないため、画像形成装置全体のコストを抑えることができる。
【００４２】
図４は、本発明の第１の実施形態における帯電装置へ印加される電圧の極性の制御を行う回路系を示したものである。本実施形態においては、制御手段３５は、非画像形成時において、所定のプリント枚数毎に、帯電装置へ印加される電圧の極性を制御する構成となっている。
【００４３】
ここで、図４において、制御手段３５はマイクロコンピュータであり、当該マイクロコンピュータは各種判断を行うとともに各種機能を有する中央処理装置（ＣＰＵ）と、各処理プログラム、及び固定データを格納したＲＯＭと、処理データを格納するデータメモリであるＲＡＭと、入出力回路（Ｉ／Ｏ）とから構成されている。この制御手段３５は、選択した極性の電圧を印加する際に、上記電源５ｂと５ｃを切り替えるために用いられる切り替えスイッチ５ｄを制御するためのものである。
【００４４】
枚数カウンタ３７は、画像形成装置にて行われたプリント枚数を計測するものであり、制御手段３５には、当該枚数カウンタ３７が計測したプリント枚数に関するデータ信号が入力される。当該データ信号が入力されると、制御手段３５は、一定の条件下で、切り替えスイッチ５ｄを切り替え、帯電装置５に電源５ｃを接続するためのスイッチ切り替え信号Ｓ１を発生し、当該スイッチ切り替え信号Ｓ１はスイッチ切り替え用回路３６に入力される。又、制御手段３５は、上記スイッチ切り替え信号Ｓ１の出力と同時に、スイッチ切り替え時間を計測するためのスイッチ切り替え時間計測開始信号を発生し、当該スイッチ切り替え時間計測開始信号はスイッチ切り替え時間計測手段３８に入力される。スイッチ切り替え用回路３６は、スイッチ切り替え信号Ｓ１に基づいて作動して、切り替えスイッチ５ｄを切り替える。当該切り替えスイッチ５ｄの切り替えが行われると、上述のごとく、帯電装置５は電源５ｃに接続されるため、感光体ドラム２の表面は、一様にトナーと逆の極性（即ち、負極性）に帯電され、露光装置３１に付着したトナーが除去される。一方、スイッチ切り替え時間計測手段３８は、スイッチ５ｄの切り替え時間の計測を開始する。次いで、所定時間経過後、スイッチ切り替え時間計測手段３８がスイッチ切り替え時間計測終了信号を発生すると、当該スイッチ切り替え時間計測終了信号が制御手段３５に入力され、制御手段３５は、切り替えスイッチ５ｄを切り替え、帯電装置５に再び電源５ｂを接続するためのスイッチ切り替え信号Ｓ２を発生し、当該スイッチ切り替え信号Ｓ２はスイッチ切り替え用回路３６に入力される。スイッチ切り替え用回路３６は、スイッチ切り替え信号Ｓ２に基づいて作動し、切り替えスイッチ５ｄを切り替え、帯電装置５が再び電源５ｂに接続される。そして、露光装置３１に付着したトナーの除去モードが解除され、通常の画像形成に備えることになる。
【００４５】
次に、図面を参照して、本発明の第１の実施形態に係る画像形成装置における帯電装置へ印加される電圧の極性の制御について詳しく説明する。図５は、本発明の第１の実施形態に係る画像形成装置における帯電装置へ印加される電圧極性の制御の手順を示すフローチャートである。
【００４６】
図５において、まず、画像形成装置にてプリントが開始されると、枚数カウンタ３７によりプリント枚数ｎの計測が開始され（ステップＳ１）、枚数カウンタ３７が計測したプリント枚数ｎに関するデータ信号が制御手段３５に入力される。制御手段３５では、非画像形成時において、入力されたデータ信号に基づくプリント枚数と、制御手段３５に予め記憶されたプリント枚数に関する所定の基準値を比較し（ステップＳ２）、当該プリント枚数ｎが所定の基準値に達していないと判断した場合は、入力されたデータ信号に基づくプリント枚数ｎと上記基準値の比較を繰り返し行い、基準値以上と判断した場合は、制御手段３５は、切り替えスイッチ５ｄを切り替えるためのスイッチ切り替え信号Ｓ１を発生し、当該スイッチ切り替え信号Ｓ１はスイッチ切り替え用回路３６に入力される。スイッチ切り替え用回路３６は、スイッチ切り替え信号Ｓ１に基づいて作動するとともに、切り替えスイッチ５ｄの切り替えを行い、帯電装置５が電源５ｃに接続されるとともに（ステップＳ３）、帯電装置５へ印加される電圧の極性が負極性となり、感光体ドラム２の表面が一様にトナーと逆の極性（即ち、負極性）に帯電され、露光装置３１に付着したトナーが除去される。切り替えスイッチ５ｄの切り替えと同時に、切り替え時間の計測を開始したスイッチ切り替え時間計測手段３８は、計測中の切り替え時間と、予め記憶された切り替えスイッチ５ｄの切り替え時間に関する所定時間Ｔとを比較し（ステップＳ４）、当該切り替え時間が所定時間Ｔに達していないと判断した場合は、当該切り替え時間と所定時間Ｔの比較を繰り返し行い、所定時間Ｔに達したと判断した場合は、スイッチ切り替え時間計測手段３８は、スイッチ切り替え時間計測終了信号を発生し、当該スイッチ切り替え時間計測終了信号は制御手段３５に入力される。次いで、制御手段３５は、切り替えスイッチ５ｄを切り替え、帯電装置５に再び電源５ｂを接続するためのスイッチ切り替え信号Ｓ２を発生し、当該スイッチ切り替え信号Ｓ２はスイッチ切り替え用回路３６に入力される。スイッチ切り替え用回路３６は、スイッチ切り替え信号Ｓ２に基づいて作動するとともに、切り替えスイッチ５ｄの切り替えを行い、帯電装置５が電源５ｂに接続される（ステップＳ５）。そして、帯電装置５へ印加される電圧の極性が正極性に戻り、露光装置３１に付着したトナーの除去モードが解除され、画像形成部３０は通常の画像形成に備えることになる。その後、それまでに計測したプリント枚数ｎを０枚にリセットし（ステップＳ６）、再び、ステップＳ１からの処理及び判断を繰り返す（ステップＳ７）。
【００４７】
以上に説明した様に、本実施形態においては、帯電装置６へ印加される電圧極性の制御を行うことにより、帯電装置５に対して選択した極性の電圧を印加することができるため、感光体ドラム２の表面を一様に選択した極性に自動的に帯電させることが可能となる。従って、従来技術とは異なり、露光装置３１の清掃を行うに際し、煩雑な手動清掃を行う必要がなくなる。
【００４８】
次に、図面を参照して、本発明の第２の実施形態を詳細に説明する。図６は、本発明の第２の実施形態に係る画像形成装置における画像形成部のトナーの除去機構を説明するための模式図である。
【００４９】
本実施形態における画像形成部３０’の構成は、図６に示す様に、感光体ドラム２の表面を一様にトナーと逆の極性（即ち、負極性）に帯電させるための帯電装置５’が帯電装置５に隣接して別個に設けられている点、及び、帯電装置５は、感光体ドラム２に向けて放電を行い、感光体ドラム２の表面を一様に正極性に帯電するために、帯電装置５へ所定電圧を印加する電源５ｂと、電源５ｂのＯＮ／ＯＦＦの切り替えを行うスイッチ５ｅを有し、帯電装置５’は、感光体ドラム２に向けて放電行い、感光体ドラム２の表面を一様に負極性に帯電するために、帯電装置５’へ所定電圧を印加する電源５ｃと、電源５ｃのＯＮ／ＯＦＦの切り替えを行うスイッチ５ｆを有している点以外は、図２、図３に示した第１の実施形態と全く同様の構成となっている。従って、図６に示した画像形成部３０’における他の構成については、図２、図３において説明した画像形成部３０と全く同様であるので、ここでは詳しい説明を省略する。又、本実施形態における画像形成装置全体の各部の構成については、図１に示した画像形成装置と同様であるため、ここでは詳しい説明は省略する。
【００５０】
本実施形態においても、上述の第１の実施形態と同様に、非画像形成時において、感光体ドラム２の表面にトナーの帯電極性とは逆の極性（即ち、負極性）の帯電を与えることにより、露光装置３１に付着したトナーを除去することを特徴としている。
【００５１】
即ち、本実施形態においては、通常の画像形成時においては、感光体ドラム２の表面を一様にトナーと同じ極性（即ち、正極性）に帯電するために、帯電装置５は電源５ｂに接続され、帯電装置５として使用されるコロナ放電器に張架された放電用ワイヤ５ａは、感光体ドラム２に向けて放電行い、感光体ドラム２の表面を一様に正極性に帯電する。又、第１の実施形態と同様に、感光体ドラム２の表面電位が、例えば＋８００Ｖ前後となる様に、帯電装置５に所定の電圧が印加される。又、この際、スイッチ５ｆにより、電源５ｃはＯＦＦの状態に切り替えられており、当該電源５ｃにより帯電装置５’に所定の電圧（負の電圧）は印加されていない。
【００５２】
一方、非画像形成時において、露光装置３１に付着したトナーを除去する場合は、感光体ドラム２の表面を一様にトナーと逆の極性（即ち、負極性）に帯電する必要があるため、所定のタイミングにより、スイッチ５ｅ、５ｆが、帯電装置５と電源５ｂ、及び帯電装置５’と電源５ｃとの接続状態を切り替える。即ち、スイッチ５ｅにより、電源５ｂはＯＦＦの状態に切り替えられ、帯電装置５と電源５ｂとの接続が解除されるとともに、スイッチ５ｆにより、電源５ｃはＯＮの状態に切り替えられ、帯電装置５’は電源５ｃに接続され、帯電装置５に対して所定の極性を有する電圧、即ち、露光装置３１に付着したトナーＴの極性と逆の極性を有する電圧を印加する。そうすると、帯電装置５’として使用されるコロナ放電器に張架された放電用ワイヤ５’ａは、感光体ドラム２に向けて放電を行い、感光体ドラム２の表面を一様に負極性に帯電する。尚、この場合も、上述の第１の実施形態と同様に、感光体ドラム２の表面電位が、例えば−１００Ｖ前後となる様に、放電用ワイヤ５’ａに電圧が印加される。
【００５３】
そして、図３において説明した、第１の実施形態と同様に、露光装置３１の光束出射面３１ａに付着したトナーＴは、正極性に帯電されているため、図中の矢印Ｂの方向に引き寄せられ、感光体ドラム２の表面上に移動し、最終的にクリーニング装置８により完全に除去される。
【００５４】
以上に説明した様に、本実施形態においても、感光体ドラム２の表面にトナーの帯電極性とは逆の極性（即ち、負極性）の帯電を与えることにより、露光装置３１に付着したトナーを除去することが可能になるため、第１の実施形態と全く同様の効果を得ることができる。
【００５５】
図７は、本発明の第２の実施形態における帯電装置へ印加される電圧の極性の制御を行う回路系を示したものである。尚、本実施形態においては、スイッチ切り替え信号に基づくスイッチ切り替え処理が異なるのみで、その他の処理については図４に示した第１の実施形態と全く同様であるため、ここでは詳しい説明を省略する。
【００５６】
即ち、本実施形態においては、制御手段３５に枚数カウンタ３７が計測したプリント枚数に関するデータ信号が入力されると、制御手段３５は、帯電装置５と電源５ｂとの接続を解除すべく、スイッチ５ｅにより電源５ｂをＯＦＦの状態に切り替えるとともに、帯電装置５’と電源５ｃを接続すべく、スイッチ５ｆにより電源５ｃをＯＮの状態に切り替えるためのスイッチ切り替え信号Ｓ３を発生し、当該スイッチ切り替え信号Ｓ３はスイッチ切り替え用回路３６に入力される。スイッチ切り替え用回路３６は、スイッチ切り替え信号Ｓ３に基づいて作動して、切り替えスイッチ５ｅ、及び５ｄを切り替え、帯電装置５’は電源５ｃに接続されるため、感光体ドラム２の表面は、一様にトナーと逆の極性（即ち、負極性）に帯電され、露光装置３１に付着したトナーが除去される。その後、スイッチ切り替え時間計測終了信号が制御手段３５に入力されると、制御手段３５は、帯電装置５’と電源５ｃとの接続を解除すべく、スイッチ５ｆにより電源５ｃをＯＦＦの状態に切り替えるとともに、帯電装置５と電源５ｂを再度接続すべく、スイッチ５ｅにより電源５ｂをＯＮの状態に切り替えるためのスイッチ切り替え信号Ｓ４を発生し、当該スイッチ切り替え信号Ｓ４はスイッチ切り替え用回路３６に入力される。スイッチ切り替え用回路３６は、スイッチ切り替え信号Ｓ４に基づいて作動して、切り替えスイッチ５ｅ、及び５ｄを切り替え、帯電装置５が再び電源５ｂに接続される。そして、露光装置３１に付着したトナーの除去モードが解除され、通常の画像形成に備えることになる。
【００５７】
又、この場合の帯電装置へ印加される電圧極性の制御の手順は、図８に示す様に、まず、枚数カウンタ３７が計測したプリント枚数ｎに関するデータ信号が制御手段３０に入力され（ステップＳ１１）、次いで、制御手段３０では、入力されたデータ信号に基づくプリント枚数ｎと、制御手段３５に予め記憶されたプリント枚数に関する所定の基準値を比較し（ステップＳ１２）、当該プリント枚数ｎが所定の基準値に達していないと判断した場合は、入力されたデータ信号に基づくプリント枚数ｎと当該基準値の比較を繰り返し行い、基準値以上と判断した場合は、制御手段３５は、上述のスイッチ切り替え信号Ｓ３を発生する。次いで、スイッチ切り替え用回路３６は、スイッチ切り替え信号Ｓ３に基づいて作動して、切り替えスイッチ５ｅ、及び５ｄを切り替え、帯電装置５と電源５ｂの接続が解除されるとともに、帯電装置５’は電源５ｃに接続される（ステップＳ１３）。スイッチ切り替え時間計測手段３８は、計測中の切り替え時間と、予め記憶された切り替えスイッチ５ｄの切り替え時間に関する所定時間Ｔとを比較し（ステップＳ１４）、当該切り替え時間が所定時間Ｔに達していないと判断した場合は、当該切り替え時間と所定時間Ｔの比較を繰り返し行い、所定時間Ｔに達したと判断した場合は、スイッチ切り替え時間計測手段３８は、スイッチ切り替え時間計測終了信号を発生し、当該スイッチ切り替え時間計測終了信号は制御手段３５に入力される。次いで、制御手段３５は、上述のスイッチ切り替え信号Ｓ４を発生する。スイッチ切り替え用回路３６は、スイッチ切り替え信号Ｓ４に基づいて作動して、切り替えスイッチ５ｅ、及び５ｄを切り替え、帯電装置５’と電源５ｃの接続が解除されるとともに、帯電装置５は電源５ｂに再び接続される（ステップＳ１５）。そして、露光装置３１に付着したトナーの除去モードが解除され、画像形成部３０は通常の画像形成に備えることになる。その後、それまでに計測したプリント枚数ｎを０枚にリセットし（ステップＳ１６）、再び、ステップＳ１１からの処理及び判断を繰り返す（ステップＳ１７）。
【００５８】
本実施形態においては、以上に説明した様に、非画像形成時において、所定のプリント枚数ｎ毎に、制御手段３５が、帯電装置５’に対する所定の極性を有する電圧（つまり、露光装置３１に付着したトナーＴの極性と逆の極性を有する電圧）の印加を制御する点に特徴がある。
【００５９】
以上より、本実施形態においても、第１の実施形態と同様に、帯電装置５’に対する所定の極性を有する電圧の印加を制御することにより、感光体ドラム２の表面を一様にトナーＴの極性と逆の極性に自動的に帯電させることが可能となる。従って、従来技術とは異なり、露光装置３１の清掃を行うに際し、煩雑な手動清掃を行う必要がなくなる。
【００６０】
次に、図面を参照して、本発明の第３の実施形態を詳細に説明する。図９は、本発明の第３の実施形態に係る画像形成装置における画像形成部のトナーの除去機構を説明するための模式図である。
【００６１】
本実施形態における画像形成部の構成は、図２、図３に示した第１の実施形態における画像形成部３０と全く同様の構成を有するものであるが、上記第１の実施形態とは異なり、露光装置５ではなく、転写装置７により、感光体ドラム２の表面を一様にトナーと逆の極性（即ち、負極性）に帯電させる点を特徴としている。
【００６２】
即ち、上述のごとく、転写装置７には、トナーの帯電極性とは逆の極性（即ち、負極性）のコロナ放電を行う転写用コロナ放電器が好適に用いられ、当該転写装置７は、用紙供給経路２０を経由して感光体ドラム２と転写装置７との間に供給された用紙（不図示）上に、感光体ドラム２の表面上のトナー像を引き寄せて転写するためのものであるが、本実施形態においては、図９に示す様に、非画像形成時に、当該転写装置７により、感光体ドラム２の表面を一様にトナーと逆の極性（即ち、負極性）に帯電させ、露光装置３１に付着したトナーを除去することを特徴としている。尚、図９に示した画像形成部３０におけるその他の構成については、上述のごとく、図２、図３において説明した画像形成部３０と全く同様であるので、ここでは詳しい説明を省略する。又、本実施形態における画像形成装置全体の各部の構成は、図１に示した画像形成装置と同様であるため、ここでは詳しい説明は省略する。
【００６３】
本実施形態においても、非画像形成時において、露光装置３１に付着したトナーを除去する場合は、感光体ドラム２の表面を一様にトナーと逆の極性（即ち、負極性）に帯電する必要があるため、所定のタイミングにより、転写装置７に対して所定の極性を有する電圧、即ち、露光装置３１に付着したトナーＴの極性と逆の極性を有する電圧を印加する。そうすると、転写装置７として使用される転写用コロナ放電器に張架された放電用ワイヤ７ａが感光体ドラム２に向けて放電行い、感光体ドラム２の表面を一様に負極性に帯電する。尚、この場合も、上述の第１、第２の実施形態と同様に、感光体ドラム２の表面電位が、例えば−１００Ｖ前後となる様に、転写装置７に電圧が印加される。
【００６４】
そして、上記第１、第２の実施形態と同様に、露光装置３１の光束出射面３１ａに付着したトナーＴは、正極性に帯電されているため、図中の矢印Ｂの方向に引き寄せられ、感光体ドラム２の表面上に移動し、最終的にクリーニング装置８により完全に除去される。
【００６５】
図１０は、本発明の第３の実施形態における転写装置へ印加される電圧の極性の制御を行う回路系を示したものである。本実施形態においては、非画像形成時において、所定のプリント枚数ｎ毎に、制御手段３５が、転写装置７に対する所定の極性を有する電圧（つまり、露光装置３１に付着したトナーＴの極性と逆の極性を有する電圧）の印加を制御する点に特徴がある。尚、図１０に示した各部の処理のうち、非画像形成時における転写装置への印加電圧に関する処理以外については、上述の第１、第２の実施形態と全く同様であるため、ここでは詳しい説明を省略する。
【００６６】
制御手段３５に枚数カウンタ３７が計測したプリント枚数ｎに関するデータ信号が入力されると、制御手段３５は、感光体ドラム２の表面をトナーと逆極性（負の極性）に帯電すべく、転写手段７に所定の電圧（負の電圧）が印加される様に制御を行う。そして、放電用ワイヤ７ａが感光体ドラム２に向けて放電行い、露光装置３１に付着したトナーが除去される。その後、スイッチ切り替え時間計測終了信号が制御手段３５に入力されると、制御手段３５は、上記放電用ワイヤ７ａへの負の電圧の印加を終了する様に制御を行い、露光装置３１に付着したトナーの除去モードが解除され、通常の画像形成に備えることになる。
【００６７】
又、この場合の転写装置７へ印加される電圧の制御の手順は、図１１に示す様に、まず、枚数カウンタ３７が計測したプリント枚数ｎに関するデータ信号が制御手段３５に入力され（ステップＳ２１）、次いで、制御手段３５では、入力されたデータ信号に基づくプリント枚数ｎと、制御手段３５に予め記憶されたプリント枚数に関する所定の基準値を比較し（ステップＳ２２）、当該プリント枚数ｎが所定の基準値に達していないと判断した場合は、入力されたデータ信号に基づくプリント枚数ｎと基準値の比較を繰り返し行い、基準値以上と判断した場合は、制御手段３５は、転写装置７に所定の電圧（負の電圧）が印加される様に制御を行う（ステップ２３）。スイッチ切り替え時間計測手段３８は、計測中の切り替え時間と、予め記憶された切り替えスイッチ５ｄの切り替え時間に関する所定時間Ｔとを比較し（ステップＳ２４）、当該切り替え時間が所定時間Ｔに達していないと判断した場合は、当該切り替え時間と所定時間Ｔの比較を繰り返し行い、所定時間Ｔに達したと判断した場合は、スイッチ切り替え時間計測手段３８は、スイッチ切り替え時間計測終了信号を発生し、当該スイッチ切り替え時間計測終了信号は制御手段３５に入力される。次いで、制御手段３５は、上記転写装置７に対する負の電圧の印加が終了する様に制御を行い（ステップＳ２５）、そして、露光装置３１に付着したトナーの除去モードが解除され、画像形成部３０は通常の画像形成に備えることになる。その後、それまでに計測したプリント枚数ｎを０枚にリセットし（ステップＳ２６）、再び、ステップＳ２１からの処理及び判断を繰り返す（ステップＳ２７）。
【００６８】
以上に説明した構成により、本実施形態においても、第１、第２の実施形態と同様の効果を得ることができる。
【００６９】
尚、本発明は、上記実施形態に限定されるものではなく、本発明の趣旨に基づいて各部の構造等を適宜変更することが可能であり、それらを本発明の範囲から除外するものではない。
【００７０】
例えば、上記構成においては、制御手段３５において、入力されたデータ信号に基づくプリント枚数ｎとプリント枚数に関し予め記憶された所定の基準値との比較を行うことにより、帯電装置５へ印加される電圧極性の制御、及び帯電装置５’、及び転写装置７へ印加される電圧の制御を行う構成としたが、当該プリント枚数以外の他のパラメータを用いて上記電圧（又は、電圧極性）の制御を行う構成としても良い。
【００７１】
又、例えば、非画像形成時である画像形成装置の電源投入時に、以上に説明した露光装置３１に付着したトナーの除去動作が行われる様に、帯電装置５へ印加される電圧極性の制御、及び帯電装置５’、及び転写装置７へ印加される電圧の制御を行う構成としても良い。
【００７２】
又、上記構成においては、トナーを正極性に帯電させ、通常の画像形成時において、感光体ドラム２の表面を一様にトナーと同じ正極性に帯電させ、非画像形成時において、露光装置３１に付着したトナーＴを除去する場合は、感光体ドラム２の表面を一様にトナーと逆の負極性に帯電する構成としたが、トナーを負極性に帯電させ、通常の画像形成時においては、感光体ドラム２の表面を一様にトナーと同じ負極性に帯電させ、非画像形成時において、露光装置３１に付着したトナーＴを除去する場合は、感光体ドラム２の表面を一様にトナーと逆の正極性に帯電する構成としても良い。
【００７３】
【発明の効果】
以上、説明した様に、本発明に係る画像形成装置においては、非画像形成時において、感光体の表面にトナーの帯電極性とは逆の極性の帯電を与えることにより、露光装置に付着したトナーを除去することが可能になる。従って、上記従来技術のごとく、清掃効果が低下した清掃部材の使用により、露光装置の汚れが増大するという不都合を回避できるとともに、露光装置の光束出射面に対して、非接触の状態で当該光束出射面に付着したトナー等の汚れを除去することが可能となるため、清掃部材により光束出射面を傷付けるという不都合も回避することができる。更に、この様な清掃部材を別個に設ける必要がないため、画像形成装置全体のコストを抑えることができる。
【００７４】
又、本発明に係る画像形成装置においては、感光体の表面を一様に選択した極性に自動的に帯電させることが可能となる。従って、従来技術とは異なり、露光装置の清掃を行うに際し、煩雑な手動清掃を行う必要がなくなる。
【図面の簡単な説明】
【図１】は、本発明の第１の実施形態に係る画像形成装置の全体構成を示す概略図である。
【図２】は、本発明の第１の実施形態に係る画像形成装置における画像形成部を拡大した模式図である。
【図３】は、図２に示した画像形成部におけるトナーの除去機構を説明するための模式図である。
【図４】は、本発明の第１の実施形態における帯電装置へ印加される電圧の極性の制御を行う回路系を示したものである。
【図５】は、本発明の第１の実施形態における帯電装置へ印加される電圧極性の制御の手順を示すフローチャートである。
【図６】は、本発明の第２の実施形態に係る画像形成装置における画像形成部のトナーの除去機構を説明するための模式図である。
【図７】は、本発明の第２の実施形態における帯電装置へ印加される電圧の極性の制御を行う回路系を示したものである。
【図８】は、本発明の第２の実施形態における帯電装置へ印加される電圧極性の制御の手順を示すフローチャートである。
【図９】は、本発明の第３の実施形態に係る画像形成装置における画像形成部のトナーの除去機構を説明するための模式図である。
【図１０】は、本発明の第３の実施形態における転写装置へ印加される電圧の極性の制御を行う回路系を示したものである。
【図１１】は、本発明の第３の実施形態における転写装置へ印加される電圧極性の制御の手順を示すフローチャートである。
【符号の説明】
１      画像形成装置
２      感光体ドラム
３      給紙カセット
４      給紙装置
５      帯電装置
５ａ    放電用ワイヤ
５ｂ、５ｃ    電源
５ｄ    切り替えスイッチ
５ｅ、５ｆ    スイッチ
６      現像装置
７      転写装置
８      クリーニング装置
９      定着装置
１１      原稿搬送部
１２      原稿読取部
１４      両面装置
２０      用紙供給経路
３０、３０’            画像形成部
３１      露光装置
３１ａ      光束出射面
３５      制御手段
３６      スイッチ切り替え用回路
３７      枚数カウンター
３８      スイッチ切り替え時間計測手段
【図１】
2005024631.tif 000003
【図２】
2005024631.tif 000004
【図３】
2005024631.tif 000005
【図４】
2005024631.tif 000006
【図５】
2005024631.tif 000007
【図６】
2005024631.tif 000008
【図７】
2005024631.tif 000009
【図８】
2005024631.tif 000010
【図９】
2005024631.tif 000011
【図１０】
2005024631.tif 000012
【図１１】
2005024631.tif 000013